(57)【要約】【課題】  バージの甲板上に搭載可能な大型重量物であれば、長さや幅あるいは高さに対して大きな自由度を有し、大型重量物を完全に海水に触れることなく搬送可能なバージによる海上輸送方法と、この海上輸送方法に使用するための海上輸送用バージを提供する。【解決手段】  バージ本体２の甲板３上に、搬入せんとする大型重量物を内蔵するのに十分な大きさを有する平面視がコ字状の防潮壁６を、複数の空のコンテナ４，５によって形成し、防潮壁６内に大型重量物を搬入したのち、防潮壁６の開口部Ｘを、空のコンテナによって形成した左右一対の開閉部７，７で閉止し、ついで、防潮壁６の上部開口部を防潮テントで覆ったのち、バージ１を目的地まで曳航する。【選択図】      図１
2011140280.tif 000002
【特許請求の範囲】
【請求項１】
所要の大きさを有するバージの甲板上に、搬入せんとする大型重量物を内蔵するのに十分な大きさを有する防潮壁を、複数の空のコンテナによって構築する工程と、
前記防潮壁内に、前記大型重量物を搬入する工程と、
前記防潮壁の上部開口部を防潮テントで覆う工程と、
目的地において、前記防潮テントを除去したのち、大型重量物をバージの甲板から搬出する工程からなること
を特徴とするバージによる海上輸送方法。
【請求項２】
前記防潮壁は、
平面視がコ字状で、内部に大型重量物を搬入したのち、その開口部に複数の空のコンテナによって開閉部を構築すること
を特徴とする請求項１に記載のバージによる海上輸送方法。
【請求項３】
前記防潮壁は、
平面視が矩形状であること
を特徴とする請求項１に記載のバージによる海上輸送方法。
【請求項４】
前記空のコンテナは、
海上コンテナであること
を特徴とする請求項１〜３のいずれかに記載のバージによる海上輸送方法。
【請求項５】
前記コ字状の防潮壁の開口部に構築される開閉部は、
左右一対の防潮壁から構成され、それぞれ左右方向に可動可能に配置されていること
を特徴とする請求項２に記載のバージによる海上輸送方法。
【請求項６】
前記防潮壁内への大型重量物の搬入、搬出作業は、
埠頭に配置されたクレーンで行なわれること
を特徴とする請求項１〜４のいずれかに記載のバージによる海上輸送方法。
【請求項７】
前記コ字状の防潮壁内への大型重量物を搬入、搬出作業は、
前記防潮壁内の開口部を利用し、トレーラを使用して行なわれること
を特徴とする請求項２又は５に記載のバージによる海上輸送方法。
【請求項８】
前記防潮壁の上部開口部を覆う防潮テントは、
外周部をシート状の養生材で覆われた断面が山型状のもので、前記上部開口部全体を覆うことが可能な大きさを有し、クレーンを使用して防潮壁上に着脱自在に装着できるものであること
を特徴とする請求項１〜７のいずれかに記載のバージによる海上輸送方法。
【請求項９】
前記防潮壁の上部開口部を覆う防潮テントは、
長手方向において相対する前記防潮壁の上部に配置されるレール上をスライド移動可能な、外周部がシート状の養生材で覆われた伸縮機構を有するアーチ状のものであって、クレーンを使用して防潮壁上に着脱自在に装着できるものであること
を特徴とする請求項１〜７のいずれかに記載のバージによる海上輸送方法。
【請求項１０】
複数の空のコンテナによって構成される防潮壁が、甲板上に着脱自在に配置されるバージ本体と、
前記防潮壁の上部空間部を覆う、着脱自在な防潮テントとから構成されること
を特徴とする海上輸送用バージ。
【請求項１１】
前記防潮壁は、
平面視がコ字状の防潮壁と、この防潮壁の開口部を開閉するための左右一対の防潮壁とから構成されていること
を特徴とする請求項１０に記載の海上輸送用バージ。
【請求項１２】
前記防潮壁は、
平面視が矩形状であること
を特徴とする請求項１０に記載の海上輸送用バージ。
【請求項１３】
前記着脱自在な防潮テントは、
前記防潮壁で形成される空間部の、上部開口部全体を覆うことが可能な大きさを有するものであること
を特徴とする請求項１０〜１２のいずれかに記載の海上輸送用バージ。
【請求項１４】
前記着脱自在な防潮テントは、
長手方向において相対する前記防潮壁の上部に配置されるレール上をスライド移動可能な、外周部がシート状の養生材で覆われた伸縮機構を有するアーチ状のものであること
を特徴とする請求項１０〜１２のいずれかに記載の海上輸送用バージ。
【請求項１５】
前記バージ本体は、
その甲板上に、大型重量物が内蔵可能な大きさ防潮壁が複数配置されていること
を特徴とする請求項１０に記載の海上輸送用バージ。
【発明の詳細な説明】
【技術分野】
【０００１】
この発明は、原子力又は火力発電所などで使用されるガスタービン又は蒸気タービンや発電機、変圧器などの大型重量物を海上輸送するためのバージによる海上輸送方法、およびこの海上輸送に使用するための、台船もしくはハシケ（艀）と称される駆動装置を有しない海上輸送用バージに関するものである。
【背景技術】
【０００２】
原子力又は火力発電所の多くは、建設に際する資材の輸送や、稼動時における原材料などの供給の利便性を考慮して、沿岸に建設される。
そのため、ガスタービン又は蒸気タービンや発電機、変圧器などの大型重量物は、工場で生産されたのち、大型車両を使用して最も近い港からバージに積み替え、大型重量物を載せたバージを、タグボートによって目的地まで曳航し、海上クレーンなどを使用して建設現場に搬入する手段が採用されている。
【０００３】
かかる大型重量物において、例えば、ガスタービンなどは、高さ約５．５ｍ×幅約６．０ｍ×長さ約１３．８ｍの大きさを有し、総重量は４００ｔを超えるもの（因みに、ＬＰタービン；高さ約６．０ｍ×幅約８．２ｍ×長さ約１０．２ｍ×総重量約２９０ｔ，発電機；高さ約５．２ｍ×幅約４．８ｍ×長さ約１３．２ｍ×総重量約３８０ｔ，変圧器；高さ約６．５ｍ×幅約５．６ｍ×長さ約１０．２ｍ×総重量約２５０ｔ）である。
【０００４】
かかる大型重量物の輸送方法としては、例えば、特許第３２８０２２８号公報（特許文献１）や特開２００１−３３４９８９号公報（特許文献２）、さらには特開２００９−７８６８８号公報（特許文献３）などがある。
【０００５】
前記特許文献１に記載の発明は、高さが５０ｍ、径が３０ｍ程度の巨大な鋼製の筒状巨大構造物（具体的には、原子炉格納容器）であって、工場内で原子炉格納容器がトレーラ等の台車上で輸送用架台上に作製され、この原子炉格納容器の上端に天秤機構付き屋根体が、吊りボルトとナットによって固定される。
【０００６】
かくして、製作および梱包がなされた原子炉格納容器は、台車によって工場から搬出され、図４（ａ）、図４（ｂ）に示すように、港湾において台車とともに、筏（バージ）に移載され、その筏によって、原子炉格納容器の設置場所に近い港湾まで海上輸送され（図４（ｃ））、そこで台車４４とともに陸揚げされる（図３（ｄ））ことが開示されている。
【０００７】
この巨大構造物の海上輸送に際しては、特に塩害に注意する必要があるので、筒状巨大構造物全体は、前述したように防水シートで覆うなど、海水がかからないような養生が必要不可欠である。
【０００８】
また、特許文献２に記載の発明は、簡単な構造で、バージの傾きを抑制することができる、バージでの重量物移載方法に関するものである。
具体的には、岸壁に昇降用傾斜部材を介して接続されるバージの甲板上に、水平方向に移動可能な重量台車を配置しておき、重量物を積載して自走する重量物搬送台車をバージと岸壁との間で移載するときの動きに合わせて、甲板上の重量台車を移動させ、バージの傾きを制御することによって重量物の移載を行うというものである。
【０００９】
しかしながら、大型重量物の海上輸送で最も大切なことは、特許文献１に開示されているように、大型重量物（搬送物）に海水がかからないような養生することであるが、前記特許文献１では、巨大な鋼製の筒状巨大構造物全体を養生材で覆っているので、その作業自体がきわめて大変な労力を有し、作業能率が悪く、輸送経費のコストアップに繋がっている。
【００１０】
そこで、特許文献３においては、積載前の防潮対策準備作業等を不要にした防潮対策台船が提案されている。
【００１１】
この台船は、長さ約６０ｍ×幅約２２ｍの甲板上に、長さ方向に沿って、１棟の大きさが長さ約５８ｍ×幅約５．５ｍ×高さ約６．８ｍの、船長方向にスライド可能なテントを配置したものである。
このテントは、甲板に船長方向に敷設されたレール上に沿ってスライド可能なもので、
複数の移動テントで構成されている。
【００１２】
かかる台船は、台船の大きさに合わせて、前記伸縮可能なテントを、図２で示されるように幅方向に複数配置したものである。
したがって、大型重量物の積載に際しては、テントを一方側に押し遣って縮小させて、甲板面を露出させたのち、クレーンで大型重量物を甲板上に移動させて固定し、しかるのち、テントを他端側に伸長させて大型重量物全体を覆うとともに、前後の開口部を固定テントで閉止したのち、目的地まで台船を曳航するものである。
そのため、周囲を養生材で被覆された大型重量物は、海水に触れることなく、目的地まで移動させることができるものである。
【先行技術文献】
【特許文献】
【００１３】
【特許文献１】特許第３２８０２２８号公報（請求項２，図４）
【特許文献２】特開２００１−３３４９８９号公報（請求項１）
【特許文献３】特開２００９−７８６８８号公報（図３，図９〜１０）
【発明の概要】
【発明が解決しようとする課題】
【００１４】
前記特許文献１に開示された筒状巨大構造物の海上搬送は、図４で明らかなように、バージを使用して行なわれるもので、筒状巨大構造物の全体を養生材で覆ったのち、バージに積み込みされる。
しかしながら、筒状巨大構造物の全体を養生材で覆うことは、きわめて重労働で、搬送コストを押し上げる要因となるとともに、養生材の除去も大変な作業となる。
【００１５】
また、特許文献３に記載の台船は、大型重量物を台船上に搭載したのち、その全体を伸縮可能なテントで覆うように構成されているので、防潮機能は十分達成され、前記特許文献１に比較して、作業も容易であるなどの利点を有するものと思われる。
【００１６】
しかしながら、甲板上にあらかじめ伸縮可能な構造物を構築するため、テントの大きさが制限されるもので、無制限化しようとすると、多くの種類（サイズ）のテントを設けた台船をあらかじめ準備する必要があるため、必然的に積み込む大型重量物の幅や高さの制限は、避けられないものである。
【００１７】
この発明はかかる現状に鑑み、バージの甲板上に搭載可能な大型重量物であれば、長さや幅あるいは高さに対して大きな自由度を有し、大型重量物を完全に海水に触れさせることなく搬送可能なバージによる海上輸送方法と、この海上輸送方法に使用するための海上輸送用バージを提供せんとするものである。
【課題を解決するための手段】
【００１８】
前記目的を達成するため、この発明の請求項１に記載の発明は、
所要の大きさを有するバージの甲板上に、搬入せんとする大型重量物を内蔵するのに十分な大きさを有する防潮壁を、複数の空のコンテナによって構築する工程と、
前記防潮壁内に、前記大型重量物を搬入する工程と、
前記防潮壁の上部開口部を防潮テントで覆う工程と、
目的地において、前記防潮テントを除去したのち、大型重量物をバージの甲板から搬出する工程からなること
を特徴とするバージによる海上輸送方法である。
【００１９】
また、この発明の請求項２に記載の発明は、
請求項１に記載のバージによる海上輸送方法において、
前記防潮壁は、
平面視がコ字状で、内部に大型重量物を搬入したのち、その開口部に複数の空のコンテナによって開閉部を構築すること
を特徴とするものである。
【００２０】
また、この発明の請求項３に記載の発明は、
請求項１に記載のバージによる海上輸送方法において、
前記防潮壁は、
平面視が矩形状であること
を特徴とするものである。
【００２１】
また、この発明の請求項４に記載の発明は、
請求項１〜３のいずれかに記載のバージによる海上輸送方法において、
前記空のコンテナは、
海上コンテナであること
を特徴とするものである。
【００２２】
また、この発明の請求項５に記載の発明は、
請求項２に記載のバージによる海上輸送方法において、
前記記コ字状の防潮壁の開口部に構築される開閉部は、
左右一対の防潮壁から構成され、それぞれ左右方向に可動可能に配置されていること
を特徴とするものである。
【００２３】
また、この発明の請求項６に記載の発明は、
請求項１〜４のいずれかに記載のバージによる海上輸送方法において、
前記防潮壁内への大型重量物の搬入、搬出作業は、
埠頭に配置されたクレーンで行なわれること
を特徴とするものである。
【００２４】
また、この発明の請求項７に記載の発明は、
請求項２又は５に記載のバージによる海上輸送方法において、
前記コ字状の防潮壁内への大型重量物を搬入、搬出作業は、
前記防潮壁内の開口部を利用し、トレーラを使用して行なわれること
を特徴とするものである。
【００２５】
また、この発明の請求項８に記載の発明は、
請求項１〜７のいずれかに記載のバージによる海上輸送方法において、
前記防潮壁の上部開口部を覆う防潮テントは、
外周部をシート状の養生材で覆われた断面が山型状のもので、前記上部開口部全体を覆うことが可能な大きさを有し、クレーンを使用して防潮壁上に着脱自在に装着できるものであること
を特徴とするものである。
【００２６】
また、この発明の請求項９に記載の発明は、
請求項１〜７のいずれかに記載のバージによる海上輸送方法において、
前記防潮壁の上部開口部を覆う防潮テントは、
長手方向において相対する前記防潮壁の上部に配置されるレール上をスライド移動可能な、外周部がシート状の養生材で覆われた伸縮機構を有するアーチ状のものであって、クレーンを使用して防潮壁上に着脱自在に装着できるものであること
を特徴とするものである。
【００２７】
さらに、この発明の請求項１０に記載の発明は、
複数の空のコンテナによって構成される防潮壁が、甲板上に着脱自在に配置されるバージ本体と、
前記防潮壁の上部空間部を覆う、着脱自在な防潮テントとから構成されること
を特徴とする海上輸送用バージである。
【００２８】
さらにまた、この発明の請求項１１に記載の発明は、
請求項１０に記載の海上輸送用バージにおいて、
前記防潮壁は、
平面視がコ字状の防潮壁と、この防潮壁の開口部を開閉するための左右一対の防潮壁となる開閉部とから構成されていること
を特徴とするものである。
【００２９】
さらにまた、この発明の請求項１２に記載の発明は、
請求項１０に記載の海上輸送用バージにおいて、
前記防潮壁は、
平面視が矩形状であること
を特徴とする海上輸送用バージである。
【００３０】
さらにまた、この発明の請求項１３に記載の発明は、
請求項１０〜１２のいずれかに記載の海上輸送用バージにおいて、
前記防潮テントは、
前記防潮壁で形成される空間部の、上部開口部全体を覆うことが可能な大きさを有するものであること
を特徴とするものである。
【００３１】
さらにまた、この発明の請求項１４に記載の発明は、
請求項１０〜１２のいずれかに記載の海上輸送用バージにおいて、
前記防潮テントは、
長手方向において相対する前記防潮壁の上部に配置されるレール上をスライド移動可能な、外周部がシート状の養生材で覆われた伸縮機構を有するアーチ状のものであること
を特徴とするものである。
【００３２】
また、この発明の請求項１５に記載の発明は、
請求項１０に記載の海上輸送用バージにおいて、
前記バージ本体は、
その甲板上に、大型重量物が内蔵可能な大きさ防潮壁が複数配置されていること
を特徴とするものである。
【発明の効果】
【００３３】
この発明のバージによる海上輸送方法は、バージ本体の甲板にあらかじめ大型重量物を内蔵するに充分な大きさの防潮壁を、空のコンテナを複数使用して着脱自在に構成するとともに、この防潮壁によって形成された空間部内に大型重量物を搬入したのち、前記空間部の上部開口部を防潮テントで覆って、大型重量物を海上輸送するものである。
【００３４】
特に、前記平面視が矩形状の防潮壁を、平面視がコ字状の防潮壁と、その開口部を開閉自在に閉止する左右一対の防潮壁となる開閉材で構成した場合には、前記空間部内に大型重量物を、クレーン又はトレーラによって搬入もしくは搬出させることができるので、搬入および搬出の際の自由度が増し、大型重量物に適合した搬入および搬出作業を行うことが可能となる。
【００３５】
また、当初から平面視が矩形状の防潮壁を構成する場合には、一つの空間内に複数の大型重量物をクレーンで搬入・搬出させることができるので、バージ本体の甲板状への防潮壁を容易に形成することが可能となる。
【００３６】
また、海上で受ける波による塩害は、空のコンテナによる大型重量物を囲う防潮壁と、この防潮壁によって形成される空間部の上部開口部を覆う防潮テントによって完全に防止することができる。
【００３７】
また、防潮壁を構成する空のコンテナは、バージに防潮壁を構築するとき以外は、何時でも海上コンテナとして使用することができるため、効率的なコンテナの使用を行うことが可能となる。
【００３８】
また、防潮テントは、空のコンテナからなる防潮壁で形成される空間部の上部開口部のみを覆うため、従来のように積込んだ大型重量物の外周部をすべて覆う必要がないので、防潮テントの構造を大幅に簡略化することができ、取扱いがきわめて容易になるので作業効率が向上し、コストダウン化ができるなどの効果を奏するものである。
【００３９】
さらに、この発明にかかる海上輸送用バージは、前記効果を奏する他に、甲板上の防潮壁は、大型重量物を海上輸送するとき以外は、防潮壁をバージ本体から容易に撤去することができるので、通常のバージとしても利用できるため、バージの使用効率を向上させることができる。
【００４０】
また、甲板上に構築される防潮壁は、その都度、大型重量物を内蔵するのに適した大きさに形成することができるので、バージ本体への防潮壁の構築は、常に最適の面積で実施することでき、甲板上を効率的に使用することができるなど実用上多大の利点を有するものである。
【図面の簡単な説明】
【００４１】
【図１】この発明にかかる海上輸送用バージの一例を示す概略説明図である。
【図２】図１における海上輸送用バージの、使用形態の一例を示す概略説明図である。
【図３】図２における防潮テントの一例を示す概略説明図である。
【図４】図２における防潮テントの、他の例を示す概略説明図である。
【図５】この発明にかかる海上輸送用バージの、他の例を示す概略説明図である。
【図６】図５における海上輸送用バージの、使用形態の一例を示す概略説明図である。
【発明を実施するための形態】
【００４２】
以下、この発明にかかる海上輸送用バージの実施例を、添付の図面を参照しながら具体的に説明する。
この発明の海上輸送用バージ１は、バージ本体２の甲板３上に着脱自在に構築される防潮壁と、この防潮壁の上部空間部を覆う防潮テントとで構成されるものである。
【００４３】
図１に示す海上輸送用バージ１は、例えば、幅２２ｍｍ×長さ７５ｍ×高さ４ｍのバージ本体２の甲板３上に、外周部が防水処理されている空の海上コンテナ４，５によって、平面視がコ字状の防潮壁６が、その開口部Ｘが甲板３の中央部に向かって開口するように構築されたものである。
なお、図１においては、前記平面視がコ字状の防潮壁６が、互いの開口部Ｘを相対させて２つ形成されている。
【００４４】
この防潮壁６を構成する海上コンテナ４，５は、ＩＳＯ規格の長さ２０フィート（６，０５８ｍｍ）と、長さ４０フィート（１２，１９２ｍｍ）のものである。
いずれも、その幅は８フィート（２，４３８ｍｍ）、高さは８フィート６インチ（２，５９１ｍｍ）が基本であるが、９フィート６インチ（２，８９６ｍｍ）の背高コンテナや、前記以外の長さや高さを有するものを使用することも可能である。
なお、図中、４は長さ２０フィートの海上コンテナを、５は長さ４０フィートの海上コンテナを表わす。
【００４５】
これら海上コンテナ４，５は、前記防潮壁６で形成される空間部内に内蔵する大型重量物の大きさに合わせて、クレーンを使用しながら甲板３上に、平面視がコ字状になるよう積み重ねて防潮壁６とするものである。
その際、特に、最下段の海上コンテナは、バージ本体２の揺れによっても移動しないように、甲板３上にボルトなどを使用して仮固定することが好ましいが、完全に固定することも当然可能なものである。
なお、積層される海上コンテナ同士を、ボルトなどで仮固定もしくは完全に固定することもできる。
【００４６】
図１に示す実施例において、図中、左側の防潮壁６は、左右方向において相対する防潮壁６ａ，６ｂを、４０フィートの海上コンテナ１個と２０フィートの海上コンテナ２個を直列状に３段積みして構成したもので、長さ２４，３０８ｍｍ×高さ７，７７３ｍｍ×幅２，５９１ｍｍである。
また、閉止部６ｃは、４０フィートの海上コンテナを３段積みして構成されたもので、長さ１２，１９２ｍｍ×高さ７，７７３ｍｍ×幅２，４３８ｍｍである。
さらに、防潮壁の一部を形成する左右一対の開閉部７，７は、それぞれ２０フィートの海上コンテナを３段積みして構成したものであって、各々長さ６，０５８ｍｍ×高さ７，７７３ｍｍ×幅２，４３８ｍｍである。
なお、図面上、右側の防潮壁６は、長手方向における２０フィートの海上コンテナを１つ少なくして形成したもので、図示しないが、その開口部には、防潮壁の一部を形成する左右一対の開閉部が設けられる。
【００４７】
前記バージ本体２の甲板３上に、平面視コ字状の防潮壁６が形成されると、この平面視コ字状の防潮壁６で形成される空間部Ｓ内に、目的とする大型重量物を内蔵する。
なお、使用する海上コンテナは、その外周部が防水処理されたものが好ましいが、防水処理されていないものでも、十分に防潮機能を奏するものである。
【００４８】
前記した大型重量物を、前記防潮壁６の空間部Ｓ内に内蔵する一つの手段としては、トレーラなどに乗せられて埠頭まで搬送された大型重量物、この実施例においては、ガスタービンＧＴ（図２の左側）と、発電機Ｇ（図２の右側）を、ホイストクレーンあるいは埠頭に装置されたガントリークレーンなどを使用して持ち上げたのち、防潮壁６内の甲板３上に吊り下ろす方法である。
【００４９】
他の手段は、ロールオン／ロールオフシステムによる方法である。
この方法は、前記開閉部７，７を構築する前、あるいは構築された開閉部７，７を開放した状態で、大型重量物を搭載したトレーラの荷台部分を、防潮壁６内の甲板３上に搬送し、その荷台を、甲板３上に予め配置した一対のレール状の支持台（図示せず）にジャッキアップして乗せたのち、台車のみをバージ本体２外に移動させるものである。
なお、目的地での積み下ろしは、逆の操作を行うもので、この場合は、バージ本体２の甲板３上に形成される平面視コ字状の防潮壁６は、一つが基本である。
【００５０】
このバージ本体２の、平面視がコ字状の防潮壁６内に、大型重量物が積み込まれると、図１に示すように、前記防潮壁６の開口部Ｘを、複数の海上コンテナ４からなる左右一対の防潮壁となる開閉部７，７によって閉止する。
なお、この開閉部７，７は、防潮壁６の一部を構成するものであって、前記コ字状の防潮壁６と同じ高さを有し、前記コ字状の防潮壁６とで、最終的に、平面視が矩形状の防潮壁を構成するものである。
この実施例においては、２０フィートの海上コンテナ４を使用して構成したものであるが、４０フィートのものを使用することも当然可能である。
【００５１】
この開閉部７，７は、大型重量物をクレーンによって、コ字状の防潮壁６内に積み込みし、かつ積下ろしする場合には、あらかじめコ字状の防潮壁６の開口部Ｘに配置し、全体を平面視が矩形状の防潮壁６による大型重量物の収納部としてもよい。
【００５２】
この開閉部７，７を、前記開口部Ｘに事前に設けた場合には、防潮壁６内に搬入した大型重量物を搬出する必要上、それぞれ左右方向にスライド移動できることが好ましい。
このスライド移動を行うための機構については、特段の制限がないが、レール上をスライド移動させることが好ましい。
また、前記開閉部７，７をクレーンによって、甲板３上から取り除く手段であってもよい。
【００５３】
このように大型重量物を、平面視がコ字状の防潮壁６の空間部Ｓ内に内蔵させたのち、前記防潮壁６と開閉部７，７とによる平面視が矩形状の防潮壁が完成すると、この防潮壁の上部に必要に応じて板状の架台８を、長手方向で相対する防潮壁６ａ，６ｂ間に架け渡したのち、図２に示すように、前記架台８上に防潮テント９を設ける。
【００５４】
この防潮テント９には、２種類があるので、適宜選択して使用することができる。
すなわち、図３に示すように、一つの防潮テント９Ａは、平面視が矩形状の、防潮壁６の上部開口部の全体を覆うことのできる大きさを有し、断面形状が山型の構造体の表面部をシート状の養生材で被覆して構成したもので、クレーンによって着脱するものである。
【００５５】
他の一つの防潮テント９Ｂは、図４に示すように、長手方向に沿って伸縮可能に形成されたアーチ状の支柱を所要間隔で配置し、左右方向において隣接する垂直な支柱間および上部の前後方向において隣接する水平な支柱間をそれぞれＸ状のリンクによって連結して構成した伸縮機構と、この伸縮機構の表面部を被覆するシート状の養生材とからなるものである。
【００５６】
この伸縮機構は、前記架台８に相対させて設けたレール（図示せず）上に装着され、基本的には、前記防潮壁６の開口部Ｘ側から閉止部６ｃ方向にスライド移動させることによって、前記防潮壁６の上部開口部の開放し、反対側にスライド移動させることによって、開口部全体を閉止するように構成されている。
なお、この伸縮機構の構成については特段の制限がなく、大型重量物を収納する空間部の上部開口部全体を覆うことができるものであればよい。
【００５７】
この防潮テント９Ｂは、全体が防潮壁６の長手方向に沿って伸縮自在に構成されているので、コ字状の防潮壁６の閉止部６ｃ上にあらかじめ装着しておくこともできる。
【００５８】
かくしてバージ本体２上に積み込んだ大型重量物の周縁部を、開閉部７，７を含む防潮壁６で囲い、かつ上部開口部も防潮テント９で覆われたバージは、タグボートによって目的地まで曳航される。
その際、大型重量物の周縁部はすべて防潮材で覆われているので、海水を被ることによる大型重量物の塩害を全く生じさせること無く、海上輸送することができる。
【００５９】
なお、図６における防潮テント９は、例示のため、開閉部７側の半分を、前記した伸縮機構を有する防潮テント９Ｂで、閉止部６ｃ側の半分を、防潮壁６の上部開口部の半分を覆うことのできる大きさを有し、断面形状が山型の構造体の表面部をシート状の養生材で被覆して構成した防潮テント９Ａで示しているが、いずれか一方に統一してもよいことは当然である。
【００６０】
目的地にバージ１が到着すると、まず、クレーンで防潮テント９Ａを取り除くか、あるいは防潮テント９Ｂを開放し、しかるのち、開閉部７，７を開放してロールオフシステムによって、あるいは開放することなくクレーンによって、大型重量物を防潮壁６内から搬出するものである。
【００６１】
図５に示す実施例は、平面視がコ字状の防潮壁６を、全て４０フィートの海上コンテナ５を上下に３段積みして構成したもので、左右の防潮壁６ａ，６ｂは、長さ約６１．０ｍ×高さ約８．６ｍ×幅約２．６ｍである。
このコ字状の防潮壁６の開口部は、２０フィートの海上コンテナを上下に３段積みして構成した左右一対の開閉部７，７で開閉可能としたものであるが、前記閉止部６ｃと同様に４０フィートの海上コンテナ５を使用して、当初から平面視矩形状の防潮壁６としてもよい。
【００６２】
かかる長さの長い防潮壁６を構築したバージ１には、図６に示すように、２台のガスタービンＧＴと、１台の発電機Ｇを同時に、クレーン又はロールオン方式で積み込んだものである。
【産業上の利用可能性】
【００６３】
この発明にかかる海上輸送用コンテナは、バージの甲板上に空のコンテナを利用して防潮壁を構成し、四周を防潮壁に囲まれた空間部内に大型重量物を内蔵するように構成しているが、外周部が防水処理され、かつ軽量なコンテナを利用することによって、小さなバージであっても、小型重量物を容易に搬送することができるので、あらゆる製品の海上輸送に対応することが可能である。
【符号の説明】
【００６４】
１          海上輸送用バージ
２          バージ本体
３          甲板
４          ２０フィートの海上コンテナ
５          ４０フィートの海上コンテナ
６          平面視がコ字状の防潮壁
６ａ，６ｂ  コ字状の防潮壁の相対する防潮壁
７，７      矩形状の防潮壁を構成する開閉部
８          架台
９          防潮壁の上部開口部全体を覆う防潮テント
９Ａ        伸縮機構を有する防潮テント
Ｘ          開口部
Ｓ          空間部
【図１】
2011140280.tif 000003
【図２】
2011140280.tif 000004
【図３】
2011140280.tif 000005
【図４】
2011140280.tif 000006
【図５】
2011140280.tif 000007
【図６】
2011140280.tif 000008